(57)【特許請求の範囲】
【請求項１】
合成樹脂からなるケースと、このケース内に収納された計器と、前記ケースの開口側に形成されたフランジ部に固着された合成樹脂からなる第１および第２の前面ガラスとを備えた計器装置であって、前記フランジ部は前記第１の前面ガラスの第１周縁部が保持される段差部と、この段差部以外の端部とを有し、前記第２の前面ガラスの第２周縁部に前記第１周縁部および前記端部に溶着される環状突部を設けたことを特徴とする計器装置。
【請求項２】
前記フランジ部と、前記第１周縁部と、前記環状突部とは同一の材料からなることを特徴とする請求項１に記載の計器装置。
【請求項３】
前記第１周縁部の側壁箇所もしくはこの側壁に対応した前記段差部箇所に圧入突起を設けたことを特徴とする請求項１または請求項２に記載の計器装置。
【発明の詳細な説明】
【技術分野】
【０００１】
本発明は、複数の前面ガラスを用いた計器装置に関するものである。
【背景技術】
【０００２】
例えば車両用や船舶用の計器装置に於いて、前面ガラスの内面に曇りが発生するのを抑えようとしたものとして、例えば下記特許文献１あるいは特許文献２がある。特許文献１に記載の車両用計器（計器装置）は、前面ガラス板３と透明な断熱板４とを離間させると共に、パッキン５，６を介在させてケース１の開口側に配置し、窓枠２を用いてケース１の開口側に固定したものであり、この様に前面ガラス板３の内側に断熱板４を配置し、前面ガラス板３と断熱板４との間の空気とケース１内の空気との流通を無くすることによって、前面ガラス板３の内面に曇りが発生するのを抑えようとするものである。
【０００３】
また、特許文献２の図５には、前面側が透視可能な表示部６５と保護体６９によって被われた表示装置（計器装置）が示されている。パッキンＰが周縁に巻かれた保護体６９が下側枠体７の開口側に配置され、パッキンＰを圧縮した状態で表示部６５のフランジ部６７箇所を下側枠体７に溶着固定したものであり、詳細は記載されていないが、上記特許文献１と同様に表示部６５の内側に保護体６９を配置し、表示部６５と保護体６９との間の空気と下側枠体７内の空気との流通を無くすることによって、表示部６５の内面に曇りが発生するのを抑えようとするものである。
【特許文献１】実公昭４０−７８１５号公報
【特許文献２】特開２００２−２６７５０３号公報
【発明の開示】
【発明が解決しようとする課題】
【０００４】
しかしながら、特許文献１の車両用計器に於いてはパッキン５，６を使わなければならず、部品点数が増え、組み付け作業性も低下し、コストアップに繋がるといった問題点を有している。また、特許文献２の表示装置に於いてもパッキンＰを必要とし、コストアップに繋がってしまう。
【０００５】
本発明はこの様な点に鑑みなされたもので、複数の前面ガラスを用いた計器装置に於いて、構造を簡素化して、コスト的に安価な計器装置を提供することを目的とする。
【課題を解決するための手段】
【０００６】
本発明は前記目的を達成するため、合成樹脂からなるケースと、このケース内に収納された計器と、前記ケースの開口側に形成されたフランジ部に固着された合成樹脂からなる第１および第２の前面ガラスとを備えた計器装置であって、前記フランジ部は前記第１の前面ガラスの第１周縁部が保持される段差部と、この段差部以外の端部とを有し、前記第２の前面ガラスの第２周縁部に前記第１周縁部および前記端部に溶着される環状突部を設けたものである。
【０００７】
また、前記フランジ部と、前記第１周縁部と、前記環状突部とは同一の材料からなるものである。
【０００８】
また、前記第１周縁部の側壁箇所もしくはこの側壁に対応した前記段差部箇所に圧入突起を設けたものである。
【発明の効果】
【０００９】
複数の前面ガラスを用いた計器装置に於いて、構造を簡素化して、コスト的に安価な計器装置を得ることができる。
【発明を実施するための最良の形態】
【００１０】
本発明を、例えば車両に備えられる計器装置を実施形態として説明する。図１は、本発明の実施形態を示す計器装置の断面図であり、図２は、同計器装置の要部断面図である。
【００１１】
計器装置は、合成樹脂からなるケース１と、このケース１内に収納された計器２と、ケース１の開口側に形成されたフランジ部３に固着された合成樹脂からなる第１および第２の前面ガラス４，５を備えている。第１の前面ガラス４と第２の前面ガラス５とは離間して配置される。
【００１２】
計器２は、指標部（図示せず）が印刷された文字板６と、文字板６の前面側に設けられ指標部を指示する指針７と、文字板６の後面側に設けられ文字板６が保持される白色の合成樹脂からなる保持部材８と、指針７を回動させるための計器本体９と、指針７および文字板６の指標部を照明する光源としてのＬＥＤ１０，１０Ａと、このＬＥＤ１０，１０Ａと計器本体９が半田付け固定された硬質な回路基板１１などから構成されている。
【００１３】
ケース１は、例えば黒色のＡＢＳ樹脂からなり、開口側にはフランジ部３が形成されている。フランジ部３は第１の前面ガラス４の第１周縁部１２が載置される段差部１３と、この段差部１３以外の端部１４とからなっている。段差部１３の深さは、第１の前面ガラス４の第１周縁部１２の厚さと同じくしてある。また、端部１４の周縁側には第１周壁１５が突設してある。
【００１４】
第１の前面ガラス４は、無色透明な例えばアクリル樹脂からなる第１透視部１６と、この第１透視部１６の周囲に一体に形成された第１周縁部１２と、第１周縁部１２から文字板６側に延びた垂壁１７とからなる。垂壁１７は文字板６とケース１との隙間から内部が見えるのを防ぐために設けるものである。この第１周縁部１２と垂壁１７はケース１と同一である（即ちフランジ部３とも同一である）黒色のＡＢＳ樹脂からなる。また、第１周縁部１２の側壁１８箇所には例えば断面三角形の圧入突起１９が設けてある。圧入突起１９は第１の前面ガラス４をケース１の段差部１３に保持する際に、端部１４の段差内周壁２０に圧入保持するためのものであり、側壁１８の全周に設けても良いし部分的に設けても良い。
【００１５】
第２の前面ガラス５は、第１の前面ガラス４と同様に、無色透明な例えばアクリル樹脂からなる第２透視部２１と、この第２透視部２１の周囲に一体に形成され、ケース１や第１の前面ガラス４の第１周縁部１２と同一である黒色のＡＢＳ樹脂からなる第２周縁部２２とからなる。この第２周縁部２２には第１周縁部１２とケース１の端部１４との両方に当接する環状突部２３が設けてある。
【００１６】
また、環状突部２３と離間した第２周縁部２２の周縁側箇所には第２周壁２４が突設してある。この第２周壁２４の位置はケース１に設けられた第１周壁１５に対応しており、この第１，第２周壁１５，２４はケース１の端部１４と第２周縁部２２とのほぼ中間位置で合わさるようになっている。
【００１７】
また、環状突部２３と離間した第１周縁部１２の内側（第１透視部１６側）箇所には、第２の前面ガラス５の第２周縁部２２側に延びるリブ２５が設けてある。環状突部２３と、第２周壁２４（あるいは第１周壁１５）およびリブ２５とをそれぞれ離間して設けることによって、第１の空所２６と第２の空所２７が形成される。
【００１８】
第１の前面ガラス４と第２の前面ガラス５のケース１のフランジ部３への固着について説明する。先ず、計器２が収納されたケース１のフランジ部３に設けられた端部１４の段差内周壁２０に第１周縁部１２の圧入突起１９を圧入して、第１の前面ガラス４をケース１の段差部１３に保持させる。
【００１９】
次に、第２の前面ガラス５を第１の前面ガラス４上に載置する。この時、第２周縁部２２に設けられた環状突部２３の先端が第１の前面ガラス４の第１周縁部１２とケース１の端部１４の両方に当接するようになる。この状態で第２周縁部２２に振動と圧力を与えることによって当接面に摩擦熱を発生させ、樹脂同士を溶融して接合（溶着）する、所謂超音波溶着法や振動溶着法などによって、環状突部２３と、第１周縁部１２および端部１４の全周とを固着溶着させる。なお、溶着の際に溶着箇所（接合箇所）からバリが発生したら、このバリは第１の空所２６或いは第２の空所２７に留まる。
【００２０】
上述した様に、環状突部２３と端部１４とが固着されることによって、第２の前面ガラス５とケース１との合わせ目から水が計器装置内に入るのを防ぐことができる。更に、環状突部２３と第１周縁部１２とが固着されることによって、第１の前面ガラス４と第２の前面ガラス５との間の空気の流通が抑えられ、第２の前面ガラス５の第２透視部２１の内面に曇りが発生するのを抑えることができる。よって、第２透視部２１および第１透視部１６を透して視認される文字板６指標部の視認性が低下することがない。
【００２１】
この様に、合成樹脂からなるケース１と、このケース１内に収納された計器２と、ケース１の開口側に形成されたフランジ部３に固着された合成樹脂からなる第１および第２の前面ガラス４，５とを備え、フランジ部３は第１の前面ガラス４の第１周縁部１２が保持される段差部１３と、この段差部１３以外の端部１４とを有し、第２の前面ガラス５の第２周縁部２２に第１周縁部１２および端部１４の両方に固着される環状突部２３を設けたことにより、従来の様にパッキンを用いる必要もなく溶着するのみで良いため、構造を簡素化して、コスト的に安価な計器装置を得ることができる。
【００２２】
また、環状突部２３と第１周縁部１２とフランジ部３とを同一の樹脂材料からなるＡＢＳ樹脂としたことにより、溶着時の溶着（接合）強度を高めることができる。なお、樹脂材料はＡＢＳ樹脂に限定するものではない。また、環状突部２３の両側に第１の空所２６と第２の空所２７を設けたことにより、溶着時に発生したバリが第１の空所２６或いは第２の空所２７に留まり、第２透視部２１と第１透視部１６との間、或いはケース１外にはみ出したりせず、外観品質が低下することはない。
【００２３】
また、第１周縁部１２の側壁１８箇所に圧入突起１９を設け、圧入突起１９を端部１４の段差内周壁２０に圧入して第１周縁部１２をフランジ部３の段差部１３に保持させたことにより、ケース１と第１の前面ガラス４とが一体となった状態となる。従って、第２の前面ガラス５の環状突部２３を第１周縁部１２とケース１の端部１４との両方に溶着する際に第１の前面ガラス４がガタ付いたりすることがなく、良好な溶着が可能となる。
【００２４】
なお、本発明は前記実施形態に限定されるものではなく、例えば圧入突起１９を第１周縁部１２の側壁１８に設けたが、側壁１８に対応した端部１４の段差内周壁２０に設けても良い。また、第１周縁部１２にリブ２５を設けて第２の空所２７が形成されるようにしたが、第２周縁部２２にリブを設けても良い。或いは第１周縁部１２と第２周縁部２２の両方に設けるようにしても良い。また、ケース１の端部１４と第２の前面ガラス５の第２周縁部２２にそれぞれ第１周壁１５と第２周壁２４を設けたが、何れか一方に設けるようにしても良い。
【図面の簡単な説明】
【００２５】
【図１】本発明の実施形態を示す計器装置の断面図。
【図２】同計器装置の要部断面図。
【符号の説明】
【００２６】
１  ケース
２  計器
３  フランジ部
４  第１の前面ガラス
５  第２の前面ガラス
１２  第１周縁部
１３  段差部
１４  端部
１８  側壁
１９  圧入突起
２３  環状突部
【図１】
0004873257.tif 000002
【図２】
0004873257.tif 000003